【手続補正書】
【提出日】平成19年7月18日(2007.7.18)
【手続補正１】
【補正対象書類名】明細書
【補正対象項目名】特許請求の範囲
【補正方法】変更
【補正の内容】
【特許請求の範囲】
【請求項１】  フレームを解析し、それに基づき線スペクトル情報符号ベクトルを発生するよう形成された線形予測フィルタと、そして
線形予測フィルタと結合し、非移動平均予測に基づいたベクトル量子化手法を使用する第１のベクトル量子化手法で、線スペクトル情報ベクトルをベクトル量子化するよう形成されている量子化器とを含み、
量子化器は、さらに第１の手法のために等価移動平均符号ベクトルを計算するように構成され、
音声コーダによって前に処理されたフレームの予め設定された数に関する符号ベクトルの移動平均コードブックを等価移動平均符号ベクトルで更新し、
更新された移動平均コードブックのメモリに基づいて第２の手法のための目標量子化ベクトルを計算し、
量子化された目標符号ベクトルを発生するために、移動平均予測に基づいた方法を使用している第２のベクトル量子化手法で目標量子化ベクトルをベクトル量子化し、
第２のベクトル量子化手法は移動平均予測に基づく方法を使用し、
量子化された目標符号ベクトルで移動平均コードブックのメモリを更新し、
そして量子化された目標符号ベクトルから、量子化された線スペクトル情報ベクトルを計算する、
音声コーダ。
【請求項２】  フレームが音声のフレームである請求項１の音声コーダ。
【請求項３】  フレームが線形予測残留のフレームである請求項１の音声コーダ。
【請求項４】  目標量子化ベクトルは、方程式
【数１】
2003524796.tif 000001
に従って計算され、ここで
【数２】
2003524796.tif 000002
は、このフレームのすぐ前に処理された予め設定された数のフレームの線スペクトル情報パラメータに対応しているコードブック記載内容であり、そして
【数３】
2003524796.tif 000003
は、
【数４】
2003524796.tif 000004
であるような、それぞれのパラメータ加重値である、請求項１の音声コーダ。
【請求項５】  量子化された線スペクトル情報ベクトルは方程式
【数５】
2003524796.tif 000005
に従って計算され、ここで
【数６】
2003524796.tif 000006
は、このフレームのすぐ前に処理された予め設定されたフレーム数の、線スペクトル情報パラメータに対応したコードブック記載内容であり、そして
【数７】
2003524796.tif 000007
は、
【数８】
2003524796.tif 000008
であるような、それぞれのパラメータ加重値である、請求項１の音声コーダ。
【請求項６】  等価移動平均符号ベクトルは、方程式
【数９】
2003524796.tif 000009
に従って計算され、ここで
【数１０】
2003524796.tif 000010
は、それぞれ
【数１１】
2003524796.tif 000011
であるような、等価移動平均符号ベクトル要素の加重値であり、そしてそこに
【数１２】
2003524796.tif 000012
の初期条件が確立されている、請求項１の音声コーダ。
【請求項７】  音声コーダが、無線通信システムの加入者ユニット内にある、請求項１の音声コーダ。
【請求項８】  第１の、そして第２の量子化ベクトル量子化手法を用いた、フレームの線スペクトル情報ベクトルのベクトル量子化の方法であって、第１の手法は非移動平均予測に基づいたベクトル量子化方法を用いており、第２の手法は、移動平均予測に基づいたベクトル量子化方法を用いており、この方法は、
第１のベクトル量子化手法によって線スペクトル情報ベクトルのベクトル量子化を行い、
第１の手法のための等価移動平均符号ベクトルを計算し、
前に処理されたフレームの予め設定された数に関する符号ベクトルの移動平均コードブックのメモリを等価移動平均符号ベクトルで更新し、
更新された移動平均コードブックメモリに基づいて第２の手法のための目標量子化ベクトルを計算し、
量子化された目標符号ベクトルを発生するために、第２のベクトル量子化手法を用いて目標量子化ベクトルをベクトル量子化し、
移動平均コードブックのメモリを量子化された目標符号ベクトルで更新し、そして
量子化された目標符号ベクトルから量子化された線スペクトル情報ベクトルを導出するステップを含む方法。
【請求項９】  フレームが音声のフレームである請求項８の方法。
【請求項１０】  フレームが線形予測残留のフレームである請求項８の方法。
【請求項１１】  計算ステップが、方程式
【数１３】
2003524796.tif 000013
に従って、目標量子化を計算することを含み、ここで
【数１４】
2003524796.tif 000014
は、このフレームのすぐ前に処理された予め設定された数のフレームに関する、線スペクトル情報パラメータに対応したコードブック記載内容であり、そして
【数１５】
2003524796.tif 000015
は、
【数１６】
2003524796.tif 000016
であるような、それぞれのパラメータ加重値である、請求項８の方法。
【請求項１２】  導出ステップが、方程式
【数１７】
2003524796.tif 000017
に従って量子化された線スペクトル情報ベクトルを導出することを含み、
【数１８】
2003524796.tif 000018
は、このフレームのすぐ前に処理されたフレームの予め設定された数の線スペクトル情報パラメータに対応したコードブック記載内容であり、そして
【数１９】
2003524796.tif 000019
は、
【数２０】
2003524796.tif 000020
であるような、それぞれのパラメータ重みづけである、請求項８の方法。
【請求項１３】  計算ステップが、方程式
【数２１】
2003524796.tif 000021
に従って、等価移動平均符号ベクトルを計算することを含み、ここで、
【数２２】
2003524796.tif 000022
は、それぞれ、
【数２３】
2003524796.tif 000023
であるような、等価移動平均符号ベクトル要素の加重値であり、そしてそこで
【数２４】
2003524796.tif 000024
の初期条件が確立される、請求項８の方法。
【請求項１４】  非移動平均予測に基づいたベクトル量子化方法を用いる第１のベクトル量子化手法を用いて、フレームの線スペクトル情報ベクトルをベクトル量子化する手段と、
第１の手法のための等価移動平均符号ベクトルを計算する手段と、
音声コーダによって前に処理された、予め設定された数のフレームに関する符号ベクトルの移動平均コードブックのメモリを、等価移動平均符号ベクトルで更新する手段と、
更新された移動平均コードブックのメモリに基づいて、第２の手法のための目標量子化ベクトルを計算するする手段と、
量子化された目標符号ベクトルを発生するために、第２のベクトル量子化手法で、目標量子化ベクトルをベクトル量子化する手段と、
移動平均コードブックのメモリを、量子化された目標符号ベクトルで更新するための手段と、そして
量子化された目標符号ベクトルから、量子化された線スペクトル情報ベクトルを導出する手段とを含む音声コーダ。
【請求項１５】  フレームが音声のフレームである請求項１４の音声コーダ。
【請求項１６】  フレームが、線形予測残留のフレームである請求項１４の音声コーダ。
【請求項１７】  目標量子化が、方程式
【数２５】
2003524796.tif 000025
に従って計算され、ここで
【数２６】
2003524796.tif 000026
は、このフレームのすぐ前に処理された予め設定された数のフレームに関する、線スペクトル情報パラメータに対応したコードブック記載事項であり、そして
【数２７】
2003524796.tif 000027
は、
【数２８】
2003524796.tif 000028
であるような、それぞれのパラメータ加重値である、請求項１４の音声コーダ。
【請求項１８】  量子化された線スペクトル情報ベクトルが、方程式
【数２９】
2003524796.tif 000029
に従って導出され、ここで
【数３０】
2003524796.tif 000030
は、このフレームのすぐ前に処理された予め設定された数のフレームに関する、線スペクトル情報パラメータに対応したコードブック記載内容であり、そして
【数３１】
2003524796.tif 000031
は、
【数３２】
2003524796.tif 000032
であるような、それぞれのパラメータの加重値である、請求項１４の音声コーダ。
【請求項１９】  等価移動平均符号ベクトルが方程式
【数３３】
2003524796.tif 000033
に従って計算され、ここで、
【数３４】
2003524796.tif 000034
は、それぞれ、
【数３５】
2003524796.tif 000035
であるような、等価移動平均符号ベクトル要素の加重値であり、そしてそこで
【数３６】
2003524796.tif 000036
の初期条件が確立される、請求項１４の音声コーダ。
【請求項２０】  音声コーダが、無線通信システムの加入者ユニット内にある、請求項１４の音声コーダ。